(57)【特許請求の範囲】
【請求項１】
成長過程にある子供の足指の靴の中での自由な動きを保証する外反母趾予防靴であって、靴の称呼サイズ毎に異なる第１趾及び第５趾に相当する箇所の側角度を有し、
第１趾及び第５趾に相当する箇所の側角度は標準化され、子供の足の成長に合わせて靴の称呼サイズ毎に段階的に増大させたものであることを特徴とする外反母趾予防靴。
【請求項２】
成長過程にある子供の足指の動きを保証する形状に設定された外反母趾予防靴用靴型ラストであって、靴の称呼サイズ毎に異なる第１趾側角度及び第５趾側角度を有し、
第１趾側角度及び第５趾側角度の値は、靴の称呼サイズ毎に標準化され、子供の足の成長に合わせて段階的に増大させたものであることを特徴とする外反母趾予防用靴型ラスト。
【発明の詳細な説明】
【０００１】
【発明の属する技術分野】
本発明は、外反母趾を防止する靴とその靴の製造に用いる靴型ラストに関する。
【０００２】
【従来の技術】
外反母趾とは、中足節関節の部位で、母趾が第５趾の方向に曲がってしまう足の障害をいうのである。しかし、母趾が正常位より何度以上外反したときに外反母趾と言うのか、という明確な定義が定められているわけではない。外反位が軽度であっても、疼痛がひどく、また日常生活に著しい障害をおこすものは治療の対象になる。また、第５趾が、第１趾側に曲がってしまう足の障害は、内反小趾というが、本発明において、外反母趾とは、外反母趾及び内反小趾を総称して論じている。
【０００３】
外反の程度が進むと、中足趾節関節の母趾は脱臼位を呈し、第１中足骨は、内側位に偏倚して母趾が外側位に変形し、いわゆる「く」の字に変形してくる。そして殊に中足骨骨頭内側部に発赤、腫脹、疼痛が加わり、滑液包腫脹を発生してくることが多い。最近、成長過程にある子供の足に外反母趾による足の障害が増加し、社会的に早急な対応が求められている。
【０００４】
【発明が解決しようとする課題】
外反母趾には、幾つかの要因が考えられるが、靴による影響もその中の一つである。ひとの足は、生まれたときから成長を始め、１６〜１７歳頃になると成長が止まる、といわれている。
【０００５】
子供の足の外反母趾を防止するには、変化している子供の足の側角度に合わせ、足指が靴の中で動かせる余裕があることが必要であるが、従来の靴型設計では、外反母趾に影響を及ぼす第１趾側角度、第５趾側角度は、サイズグレーディングにおいて全サイズで一定に設計され、成長過程にある子供の足の健全な育成について格別の考慮が払われているわけではなかった。元来、足の形状は個人個人によって異なり、個人に専用に誂えた靴を着用している限り、靴による外反母趾の影響はなかったのである。
【０００６】
本発明の目的は、子供の足の成長にあわせて称呼サイズ毎に側角度を変化させて足指が靴の中で自由に動かせるように設計した外反母趾予防用の靴と、その靴の製造に用いる靴型ラストを提供することにある。
【０００７】
【課題を解決するための手段】
上記目的を達成するため、本発明による靴においては、成長過程にある子供の足指の靴の中での自由な動きを保証する外反母趾予防靴であって、靴の称呼サイズ毎に異なる第１趾及び第５趾に相当する箇所の側角度を有し、
第１趾及び第５趾に相当する箇所の側角度は標準化され、子供の足の成長に合わせて靴の称呼サイズ毎に段階的に増大させたものである。
【０００９】
また、本発明による外反母趾予防靴用靴型ラストにおいては、成長過程にある子供の足指の動きを保証する形状に設定された外反母趾予防靴用靴型ラストであって、靴の称呼サイズ毎に異なる第１趾側角度及び第５趾側角度を有し、
第１趾側角度及び第５趾側角度の値は、靴の称呼サイズ毎に標準化され、子供の足の成長に合わせて段階的に増大させたものである。
【００１１】
【発明の実施の形態】
以下に本発明の実施形態を図によって説明する。本発明による外反母趾予防靴は、靴胛被の第１趾、第５趾に相当する個所の側角度を靴の呼称サイズ毎に異ならせた靴型ラストを用いて製作されたものである。
【００１２】
図１は、成長過程における標準的な子供の足の骨格構造の変化を、３歳から１７歳までについて概略図にて示したものである。図１において、生まれてから３歳頃までは、子供の足の骨は、まだ大人のようにしっかりとした骨が形成されておらず、軟骨の状態である。この頃の足は、指が広がった形（扇形）になっている。
【００１３】
骨の骨化は、４歳頃から始まり、次第に大きく、しっかりとしてくる。また、この頃より、歩いたり、走ったりするときの衝撃を吸収する役目をする足のアーチが形成され始めてくる。
【００１４】
その後、１５歳になるころまでには、さらに形成度は高まり、１６〜１７歳頃になると足の成長はほぼ終わり、骨の骨化・成長に伴い、足の形は扇形から足指がしまった形になってくる。
【００１５】
このように子供の足の第１趾、第５趾側角度は、成長と共に変化しているのである。本発明においては、靴の第１趾、第５趾の側角度を子供の足の成長に合わせ、称呼サイズ毎に側角度を変えることにより、足指が、靴の中での自由な動きを保証するようにしたものである。
【００１６】
外反母趾角の側角度の代表的な測定方法を図２に示す。図２において、母趾角の代表的な測定方法には、レントゲン計測法と、全履協計測法と、靴研式計測法とが知られている。外反母趾角は、元来、Ｘ線写真により第１中足骨の中央を通る線と、第１基節骨の中央を通る線のなす角度であり、図２（ａ）に示すレントゲン計測法がこれに該当する。
【００１７】
その角度は、外郭線の第１ＭＰ関節突出部で母趾の接線と、踵の内側の接線のなす角度がほぼ等しいことから、この角度にて代用する方法が図２（ｂ）に示す全履協計測法である。また、靴研式計測法においては、これとは別に図２（ｃ）に示すように第１ＭＰ関節内側突出部で、足の中心線と平行にひいた線と、母趾内側で踵の最高方突出点から１６％または１８％（これも２通りある）を結んだ線との角度を外反母趾角としている。
【００１８】
なお、図２においては、第１趾について図示しているが、第５趾の側角度についても全く同じである。外反母趾角の数値は、レントゲン計測法、全履協計測法、あるいは靴研式計測法の何れの計測結果をもって表してもよいが、この実施形態においては、外反母趾角を靴研式計測法にて表した数値にて示すものとする。靴研式計測法で測定して例えば、図３において、第１趾側角度ａが１５゜以上を外反母趾であると考える。
【００１９】
本発明においては、図３において、第１趾側角度をａ、第５趾側角度をｂとしたときに、第１趾側角度ａの値を年齢にあわせた靴の称呼サイズごとに標準化して例えば、表１の値に設定するものである。
【００２０】
【表１】
0004646360.tif 000002
【００２１】
同様に、第５趾側角度ｂの値を年齢にあわせた靴の称呼サイズごとに標準化して例えば表２の値に設定する。
【００２２】
【表２】
0004646360.tif 000003
【００２３】
図４に、靴型ラストの第１趾、第５趾側角度の設定例を示す。この例では、靴型ラストとして、３歳頃用の靴型ラスト１ａ、５歳頃用の靴型ラスト１ｂ、１０歳頃用の靴型ラスト１ｃ、１５歳頃用の靴型ラスト１ｄ、１７歳頃用の靴型ラスト１ｅの合計５種類を準備している。３歳頃用の靴型ラスト１ａの第１趾側角度をａ１、第５趾側角度をｂ１、５歳頃用の靴型ラスト１ｂの第１趾側角度をａ２、第５趾側角度をｂ２、１０歳頃用の靴型ラスト１ｃの第１趾側角度をａ３、第５趾側角度をｂ３、１５歳頃用の靴型ラスト１ｄの第１趾側角度をａ４、第５趾側角度をｂ４、１７歳頃用の靴型ラスト１ｅの第１趾側角度をａ５、第５趾側角度をｂ５としたときに、本発明においては、靴型ラストの第１趾、第５趾側角度を、靴型ラストの大小に対し、単純に比例関係によって拡大、縮小するのではなく、子供の足の成長（年齢）に合わせ、それぞれの靴型ラスト１ａ〜１ｅについての第１趾側角度ａ１〜ａ５は、ａ１＜ａ２＜ａ３＜ａ４＜ａ５の順に段階的に増大させている。
【００２４】
同様に各靴型ラスト１ａ〜１ｅの第５趾側角度ｂ１〜ｂ５についても、ｂ１＜ｂ２＜ｂ３＜ｂ４＜ｂ５の順に増大させ、各靴型ラスト１ａ〜１ｅの第１趾、第５趾側角度を表１、表２に示したような値に標準化したものである。
【００２５】
子供の足の成長（年齢）は、靴型ラストの称呼サイズの大小に対応する。表３に、「ｃｍ」にて表した靴型ラストの称呼サイズ毎の第１趾、第５趾側角度の設定例を示す。
【００２６】
【表３】
0004646360.tif 000004
【００２７】
本発明による外反母趾予防靴としての胛被は、靴の称呼サイズ毎に、第１趾および第５趾の側角度が例えば表３に示す値の範囲に設定された靴型ラストに適合する形状にパターン設計されたものである。靴の称呼サイズ毎にパターン設計された胛被は、それぞれ、表３のサイズに対応するサイズの各靴型ラスト１ａ〜１ｅを選定してその靴型ラストに吊り込み、靴金型内で靴底が成形され、成形後、脱型をすることによって、各靴型ラスト１ａ〜１ｅの形状に対応し、図５に示すように、３歳頃用の靴２ａ、５歳頃用の２ｂ、１０歳頃用の靴２ｃ、１５歳頃用の靴２ｄ、１７歳頃用の靴２ｅが得られる。
【００２８】
得られた靴は、靴胛被の第１趾及び第５趾に相当する個所の側角度が靴の称呼サイズ毎に、ひとの足の成長度合いに対応した形状になっている。すなわち、第１趾側角度ａ１〜ａ５は、ａ１＜ａ２＜ａ３＜ａ４＜ａ５の順に段階的に増大し、同様に各靴型ラスト１ａ〜１ｅの第５趾側角度ｂ１〜ｂ５についても、ｂ１＜ｂ２＜ｂ３＜ｂ４＜ｂ５の順に増大した靴が得られる。特に、例えば呼びサイズが１４ｃｍ以下（３〜５歳頃用以下）の子供靴では、足指が位置する靴の爪先部位において、靴の中で足指を自由に動かすことができ、幼児期に靴が問題とされている外反母趾を予防できる。
【００２９】
【発明の効果】
以上のように、本発明は、成長期にある子供の足の側角度の変化に対応させて、各称呼サイズ毎に、第１趾、第５趾側角度を設定するため、本発明による外反母趾予防靴を成長期にある子供が着用しても、足指の動きに制約を受けず、誂えた靴と同様に靴の中で自由に足指を動かすことができ、したがって、本発明によれば、特に成長過程にある子供の足の正常な育成を促しつつ外反母趾、偏平足の予防に著しい効果を得ることができる。
【００３０】
また、本発明によるときには、各称呼サイズごとの靴胛被の第１趾、第５趾側角度を予め標準化しておくことにより、ＣＡＤシステムを用いて容易に設計することができる。
【図面の簡単な説明】
【図１】成長過程における標準的な子供の足の骨格構造の変化を３歳から１７歳までについて概略図にて示した図である。
【図２】外反母趾角の代表的な測定方法を示す図である。
【図３】第１趾側角度と、第５趾側角度を指示する図である。
【図４】靴型ラストの第１趾、第５趾側角度の設定例を示す図である。
【図５】本発明による外反母趾予防靴の例を示す図である。
【符号の説明】
１ａ〜１ｅ  靴型ラスト
２ａ〜２ｅ  靴
【図１】
0004646360.tif 000005
【図２】
0004646360.tif 000006
【図３】
0004646360.tif 000007
【図４】
0004646360.tif 000008
【図５】
0004646360.tif 000009